(57)【要約】【課題】  発破孔に装薬されたバルク状爆薬を雷管のみで起爆する際に、雷管を孔尻まで容易かつ安全、確実に装てんパイプで押し込むことのできる雷管ホルダーの提供。【解決手段】  雷管の断面よりも大きな内空を有する外郭体と、雷管を把持固定する雷管固定部とを有することを特徴とする雷管ホルダー。【選択図】  図１
2005300078.tif 000002
【特許請求の範囲】
【請求項１】
雷管の断面よりも大きな内空を有する外郭体と、雷管を把持固定する雷管固定部とを有することを特徴とする雷管ホルダー。
【請求項２】
外郭体の側面が網目状、格子状、縞状あるいは多孔状であることを特徴とする請求項１に記載の雷管ホルダー。
【請求項３】
雷管固定部が少なくとも３つ以上の放射状突起を有することを特徴とする請求項１に記載の雷管ホルダー。
【請求項４】
雷管固定部が、雷管外径より大きい円筒状体よりなる接続部により固定された３枚以上の放射状板状体であることを特徴とする請求項１記載の雷管ホルダー。
【請求項５】
雷管の添装薬部を露出させうる雷管固定部と少なくとも雷管の添装薬部と起爆薬部とを覆うことのできる外郭体とを有することを特徴とする請求項１に記載の雷管ホルダー。
【請求項６】
雷管固定部と外郭体とが、棒状体または雷管の円筒軸を含む平面上に位置する板状体からなる接続部により、連結固定されていることを特徴とする請求項１記載の雷管ホルダー。
【発明の詳細な説明】
【技術分野】
【０００１】
本発明は、発破孔に装薬されたバルク状爆薬を雷管のみで起爆する際に、雷管に装着する雷管ホルダーに関する。
【背景技術】
【０００２】
従来、ダイナマイトや含水爆薬などの、薬包包装やフィルム包装された爆薬（以下カートリッジ爆薬という）や硝安油剤爆薬（以下ANFOという。）を発破孔に装てんし起爆する場合には、カートリッジ爆薬に雷管を装着した親ダイとばれる起爆装置が用いられてきた。たとえば、非特許文献１には薬包への電気雷管取り付けによる親ダイの代表例が記載されている。また、非特許文献２には、円筒状に成形されたペントライト等への雷管取り付けによる親ダイの代表例が記載されている。親ダイは、直径２５ｍｍから３０ｍｍ、長さ１００ｍｍから３００ｍｍのカートリッジ爆薬に雷管を装着したものが一般的である。
【０００３】
近年、例えば特許文献１に記載されているスラリー爆薬組成物や非特許文献３に記載されているバルクエマルション爆薬など、装てん機およびそれに装着されたホースあるいはパイプ（以下、装てんパイプという）を介して流動性を持つバルク状爆薬を発破孔に直接装てんする方法がトンネル発破向けに開発されている。トンネル発破においては、発破孔の最底部（以下、孔尻という）に親ダイを配置し、その発破孔口元側（以下孔口という）にバルク状爆薬を配置するのが一般的であり、このような方法の場合、親ダイは孔口から装てんパイプで孔尻まで押し込むことにより配置し、装てんパイプよりバルク状爆薬を排出しながら装てんパイプを引き抜いてバルク状爆薬の装てんを行なう。装てんパイプは、内径２０ｍｍから３５ｍｍ、外径２５ｍｍから４０ｍｍのものが一般的である。
【０００４】
バルク状爆薬で、雷管起爆性を有するものについては、親ダイを使用せずに雷管のみでの起爆が可能である。しかしながら、雷管の形状は直径６ｍｍから１０ｍｍ、長さ４０ｍｍから１００ｍｍ程度で親ダイに比較すると極めて小さく、それのみを装てんパイプで孔尻まで押し込むと、発破孔途中で引掛かったり、装てんパイプ先端から外れたりして孔尻まで容易かつ安全、確実に押し込むことが困難だった。
【０００５】
【非特許文献１】労働省安全衛生部安全課編、発破技士テキスト、第１０版第２刷、中央労働災害防止協会、平成２年３月５日、ｐ．６１
【非特許文献２】Ｉｎｔｅｒｎａｔｉｏｎａｌ  Ｓｏｃｉｅｔｙ  ｏｆ  Ｅｘｐｌｏｓｉｖｅｓ  Ｅｎｇｉｎｅｅｒ編、Ｂｌａｓｔｅｒｓ’  Ｈａｎｄｂｏｏｋ、第１７版第２刷、Ｉｎｔｅｒｎａｔｉｏｎａｌ  Ｓｏｃｉｅｔｙ  ｏｆ  Ｅｘｐｌｏｓｉｖｅｓ  Ｅｎｇｉｎｅｅｒ、２０００年、ｐ．２５８−２６０
【特許文献１】特開２００３−１４６７８９号公報
【非特許文献３】田口琢也他、バルク装填エマルション爆薬、社団法人火薬学会１９９９年度年会講演要旨集、社団法人火薬学会、１９９９年５月１３日、通巻第５０号、ｐ．１６５−１６６
【発明の開示】
【発明が解決しようとする課題】
【０００６】
本発明は、発破孔に装薬されたバルク状爆薬を雷管のみで起爆する際に、雷管を孔尻まで容易かつ安全、確実に装てんパイプで押し込むことのできる雷管に装着する雷管ホルダーを提供することを目的とする。
【課題を解決するための手段】
【０００７】
本発明者は、前記課題を解決するために鋭意研究を重ねた結果、雷管の断面よりも大きな内空を有する外郭体の内空に雷管を固定する治具が固定されている雷管ホルダーがその目的に適合しうることを見出し、本発明をなすに至った。
すなわち、本発明は、下記の通りである。
（１）雷管の断面よりも大きな内空を有する外郭体と、雷管を把持固定する雷管固定部とを有することを特徴とする雷管ホルダー。
（２）外郭体の側面が網目状、格子状、縞状あるいは多孔状であることを特徴とする（１）に記載の雷管ホルダー。
（３）雷管固定部が少なくとも３つ以上の放射状突起を有することを特徴とする（１）に記載の雷管ホルダー。
（４）雷管固定部が棒状あるいは雷管の円筒軸と平行な板状の接続部により固定されていることを特徴とする（１）に記載の雷管ホルダー。
（５）雷管の添装薬部を露出させうる雷管固定部と少なくとも雷管の添装薬部と起爆薬部とを覆うことのできる外郭体とを有することを特徴とする（１）に記載の雷管ホルダー。
（６）雷管固定部と外郭体とが、棒状体または雷管の円筒軸を含む平面上に位置する板状体からなる接続部により、連結固定されていることを特徴とする（１）記載の雷管ホルダー。
【発明の効果】
【０００８】
本発明の雷管ホルダーを装着した雷管は、発破孔に装てんされた雷管起爆性を有するバルク状爆薬を雷管のみで起爆する場合に、孔尻まで容易かつ安全、確実に装てんパイプで押し込むことができる。また、雷管ホルダーへの雷管装着作業は、親ダイ作成に比べ、いたって簡便な作業性を提供し、雷管ホルダーの装着された雷管は、発破現場等での運搬や切羽等での取扱に際して、雷管のみで取り扱う場合に比べて著しい安全性を提供する。
【発明を実施するための最良の形態】
【０００９】
本発明について、以下具体的に説明する。
雷管ホルダーは、雷管断面よりも大きな内空を有する外郭体と雷管を把持固定する雷管固定部とを有し、必要によりこの外郭体と雷管固定部を接続する接続部を別途設けてもよい。
外郭体は、装てんパイプ先端に挿入して孔尻まで挿入する場合には、装てんパイプ内で雷管を安定させ、容易に脱落しない形状を有する必要がある。装てんパイプの内径は一般的に２０ｍｍから３５ｍｍであり、外郭体の直径は、装てんパイプに比べて１ｍｍ以上小さく、装てんパイプ内径の２／３以上であることが好ましい。さらに好ましくは、装てんパイプ内径に比べて２ｍｍから５ｍｍ小さいものが望ましい。外郭体の形状としては、円筒状あるいは三角柱状、四角柱状、五角柱状、六角柱状、八角柱状などの多角柱状がある。外郭体の側面は板状でも構わないが、バルク状爆薬が外郭体内部に侵入し易いように、網目状、格子状、縞状、多孔状が好ましい。また、孔口に配置し、装てんパイプで押し込んで挿入する場合には、押し込まれる過程で装薬孔内で引っ掛ったりすることのないように、装薬孔径に比べて１０ｍｍ以上小さく、装薬孔径の２／３以上であることが好ましい。さらに好ましくは、装薬孔径に比べて、１５ｍｍから２０ｍｍ小さいものが望ましい。
【００１０】
加えて外郭体は、発破現場等での運搬や切羽等での取扱に際して落下・衝突時の外部からの衝撃に対して雷管を保護する機能を有することが望ましい。雷管は、一般的に直径６ｍｍから１０ｍｍ、長さ４０ｍｍから１００ｍｍの円筒状をなす一端が閉鎖された管体の中に、管底部から添装薬、起爆薬、延時装置、点火装置の順番に配置され、開口部が樹脂などで封止された構造をもつ。起爆薬および添装薬は外部からの衝撃に最も敏感な部分で、一般的に管底から２０ｍｍから４０ｍｍの部分に配置されている。外郭体は、この部分を保護するように２０ｍｍから４０ｍｍ以上の長さを有することが望ましい。さらに好ましくは、雷管全体を保護するように雷管と同じ長さを有することが好ましい。また、装てんパイプや装薬孔内への挿入性を考慮した場合、外郭体の長さは外郭体あるいは装薬孔の直径と同等以上であることが望ましい。
【００１１】
外郭体と接続される雷管固定部は、雷管を挿入でき、容易に脱落することのないように雷管外径と同じ内径を有する円筒状体や少なくとも３つ以上の放射状突起と円筒状体、多角状体等との組み合わせが好ましい。放射状突起の場合には外郭体長手方向に連続する形状ものが好ましい。この放射状突起は、そのまま外郭体として用いても良い。材質は、雷管への装着時に過度の摩擦や衝撃を与えないように木、紙、樹脂等が好ましい。円筒状の場合、円筒の厚みは、雷管の爆発威力に影響するため、１．５ｍｍ以下にすることが好ましい。さらに好ましくは１ｍｍ以下にすることが望ましい。また、円筒部分の長さは、添装薬が配置される雷管管底部を連続して覆う長さのものでなく、少なくとも半分以上の長さにおいて管体を露出できる程度のものが望ましい。材質は、爆発威力への影響が小さく、雷管への装着時に過度の摩擦や衝撃を与えないように木、紙、樹脂等が好ましい。雷管固定部の雷管管底と接する部分は１ｍｍ以下の厚みとすることが好ましい。さらに好ましくは、開放とし雷管管底部の爆発威力を抑制しない構造とすることが望ましい。
【００１２】
外郭体と雷管固定部の接続は、バルク状爆薬が侵入でき、雷管からの爆発威力が伝達される空隙が外郭体と雷管固定部間に保持されるように、少なくとも１箇所以上を棒状の接続部で接合するか、あるいは雷管の円筒軸を含む平面上に位置する板状の接続部で接合する構造が望ましい。さらに好ましくは、２箇所以上で接合する構造が望ましい。
【実施例】
【００１３】
本発明を実施例に基づいて説明する。
［実施例１］
内径２７ｍｍの装てんパイプに装着する雷管ホルダーを製作した。なお、雷管は、電気雷管（旭化成ケミカルズ株式会社製、瞬発電気雷管、管体外径６ｍｍ、管長４０ｍｍ）を対象とした。外郭体として、外径２５ｍｍ、内径２２ｍｍ（厚み１．５ｍｍ）、長さ３０ｍｍの格子状円筒、雷管固定部として高さ８ｍｍ、長さ３０ｍｍ、厚み１．５ｍｍの平板３枚を挟み角が１２０度となるように外郭体内面に固定し、外郭体と雷管固定部を接続する接続部もかねあわせたものとした。材質はポリエチレン樹脂を用いた。図１に示す。
【００１４】
[実施例２]
内径２７ｍｍの装てんパイプに装着する雷管ホルダーを製作した。なお、雷管は、電気雷管（旭化成ケミカルズ株式会社製、瞬発電気雷管、管体外径６ｍｍ、管長４０ｍｍ）を対象とした。雷管固定部として、外径９．５ｍｍ、内径６．５ｍｍ（厚み１．５ｍｍ）、雷管管底部が露出するように、外郭体よりも長さを５ｍｍ短くした、長さ２５ｍｍの円筒、外郭体として高さ７．７５ｍｍ、長さ３０ｍｍ、厚み１．５ｍｍの平板６枚を挟み角が６０度となるように雷管固定部外周に固定し、外郭体と雷管固定部とを接続する接続部をもかねあわせたものとした。材質はポリエチレン樹脂を用いた。図２に示す。
【００１５】
[実施例３]
内径２７ｍｍの装てんパイプに装着する雷管ホルダーを製作した。なお、雷管は、電気雷管（旭化成ケミカルズ株式会社製、瞬発電気雷管、管体外径６ｍｍ、管長４０ｍｍ）を対象とした。外郭体として高さ７．７５ｍｍ、長さ３０ｍｍ、厚み１．５ｍｍの平板６枚を挟み角が６０度となるように円筒状接続部（外径１５ｍｍ、内径１２ｍｍ（厚み１．５ｍｍ）、長さ３０ｍｍ）と交差部で固定した。外郭体は雷管固定部をもかねあわせたものとした。材質はポリエチレン樹脂を用いた。図３に示す。
【産業上の利用可能性】
【００１６】
本発明の雷管ホルダーは、発破孔に装てんされた雷管起爆性を有するバルク状爆薬を雷管のみで起爆する場合に、孔尻まで容易かつ安全、確実に装てんパイプで雷管を押し込む作業、雷管を発破現場等で運搬したり切羽等で取り扱ったりするに際して好適である。
【図面の簡単な説明】
【００１７】
【図１】本発明の雷管ホルダーの１例を示す斜視説明図である。
【図２】本発明の雷管ホルダーの１例を示す斜視説明図である。
【図３】本発明の雷管ホルダーの１例を示す斜視説明図である。
【図１】
2005300078.tif 000003
【図２】
2005300078.tif 000004
【図３】
2005300078.tif 000005